(57)【要約】【課題】背もたれの背面側のスペースをより効率よく利用可能な乗物用座席を提供する。【解決手段】背もたれ５の背面側に設けられ、収納部３０を備えるベースユニット１０と、所定サイズのカード５０が通過可能な貫通穴２２が設けられ、ベースユニット１０の収納部３０に収納された収納位置と収納位置から開いた展開位置との間を移動可能に設けられたトレイ２０と、トレイ２０が収納位置に位置するときにベースユニット１０のうち貫通穴２２に対応する位置に配置され、カード５０が記憶する情報を読取り可能な決済端末１００を装着可能な取り付け台座と、を備える。【選択図】図７
2017065476.tif 000002
【特許請求の範囲】
【請求項１】
背もたれの背面側に設けられ、収納部を備えるベースユニットと、
所定サイズのカードが通過可能な貫通穴または切欠きが設けられ、前記ベースユニットの前記収納部に収納された収納位置と前記収納位置から開いた展開位置との間を移動可能に設けられたトレイと、
前記トレイが前記収納位置に位置するときに前記ベースユニットのうち前記貫通穴または前記切欠きに対応する位置に配置され、前記カードが記憶する情報を読取り可能なカードリーダを装着可能な取り付け台座と、
を備える乗物用座席。
【請求項２】
背もたれの背面側に設けられ、収納部を備えるベースユニットと、
貫通穴、切欠き、または非金属材料により構成される薄肉部が設けられ、前記ベースユニットの前記収納部に収納された収納位置と前記収納位置から開いた展開位置との間を移動可能に設けられたトレイと、
前記トレイが前記収納位置に位置するときに前記ベースユニットのうち前記貫通穴、前記切欠き、または前記薄肉部に対応する位置に配置され、無線通信機器と無線通信が可能な通信機を装着可能な取り付け台座と、
を備える乗物用座席。
【請求項３】
前記トレイが前記収納位置に向けて移動するのに伴って、前記カードリーダを前記トレイの貫通穴または切欠き部内において前記ベースユニットから突出する方向に移動させるポップアップ機構を備える、
請求項１記載の乗物用座席。
【請求項４】
前記貫通穴は、前記トレイを展開位置に位置させたときに、所定サイズのカップを保持可能である、
請求項１記載の乗物用座席。
【発明の詳細な説明】
【技術分野】
【０００１】
本開示は、背もたれの背面側に開閉式のトレイが設けられる乗物用座席に関する。
【背景技術】
【０００２】
特許文献１は、背もたれに表示器が取り付けられる乗客座席を開示する。この乗客座席は、表示器の表示画面の近傍にカードリーダスロットを備えている。この構成により、乗客はクレジットカードをカードリーダスロットに挿入することで購入代金を支払うことができる。
【先行技術文献】
【特許文献】
【０００３】
【特許文献１】特表２００１−５１６９１４号公報
【発明の概要】
【発明が解決しようとする課題】
【０００４】
本開示は、背もたれの背面側のスペースをより効率よく利用可能な乗物用座席を提供する。
【課題を解決するための手段】
【０００５】
本開示における乗物用座席は、背もたれの背面側に設けられ、収納部を備えるベースユニットと、所定サイズのカードが通過可能な貫通穴または切欠きが設けられ、ベースユニットの収納部に収納された収納位置と収納位置から開いた展開位置との間を移動可能に設けられたトレイと、トレイが収納位置に位置するときにベースユニットのうち貫通穴または切欠きに対応する位置に配置され、カードが記憶する情報を読取り可能なカードリーダを装着可能な取り付け台座と、を備える。
【発明の効果】
【０００６】
本開示における乗物用座席は、背もたれの背面側のスペースをより効率よく利用するのに有効である。
【図面の簡単な説明】
【０００７】
【図１】実施の形態１におけるモニタとトレイを備える座席が複数配置された航空機内の概観図
【図２】実施の形態１における航空機内に配置された座席の概観図
【図３】実施の形態１におけるトレイ展開時の座席の概観図
【図４】実施の形態１におけるトレイ展開時の座席の断面図
【図５】実施の形態１におけるトレイ収納時の座席の概観図
【図６】実施の形態１におけるトレイ収納時の座席の断面図
【図７】実施の形態１における決済端末のポップアップ機構の分解斜視図
【図８Ａ】実施の形態１におけるトレイ展開時のポップアップ機構の斜視図
【図８Ｂ】実施の形態１におけるトレイ展開時のポップアップ機構の斜視図
【図９Ａ】実施の形態１におけるトレイ収納時のポップアップ機構の斜視図
【図９Ｂ】実施の形態１におけるトレイ収納時のポップアップ機構の斜視図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態１）
本開示の実施の形態１に係る座席１について、図１〜図９Ｂを用いて説明する。
【００１１】
［１−１．構成］
［１−１−１．全体構成］
図１は、本実施の形態における、座席１が複数配置された航空機内の様子を示す図である。図２は、座席１の概観図である。座席１は、座面３と、背もたれ５と、ベースユニット１０と、トレイ２０と、モニタ４０と、決済端末１００とを備える。決済端末１００は、カード５０に記憶された情報を読み取り可能である。ベースユニット１０は、座席１の背もたれ５の背面側に設けられる。座席１の背もたれ５には、モニタ４０やトレイ２０が配置される。ベースユニット１０は、モニタ４０、トレイ２０及び決済端末１００が直接取り付けられる部材である。ベースユニット１０は、トレイ２０を収納するための収納部３０を備える。座席１は、乗物用座席の一例である。
【００１２】
［１−１−２．トレイ２０］
トレイ２０は、収納位置と、収納位置から開いた展開位置との間を移動可能に設けられる。
図３は、座席１のトレイ２０の開状態における拡大図である。図４は、座席１の左右方向が法線方向となり、決済端末１００の中心を通る面における座席１の断面図である。トレイ２０の開状態とは、トレイ２０がトレイ支持部材２４に支持されて、水平に展開されている状態である。トレイ２０の開状態における位置を展開位置とする。
【００１３】
収納部３０は、トレイ２０を収納位置（後述）に配置したときにトレイ２０が固定される場所である。収納部３０は、望ましくはトレイ２０とほぼ同形状の凹部である。そのようにすることで、トレイ２０を収納部３０に収納したときに、露出する面であるトレイ２０の下面と、ベースユニット１０の表面とがほぼ同一面となるため、美観上好ましい。ただし、収納部３０は、トレイ２０を収納位置に配置したときにトレイ２０の一部が収まるような凹部として構成されてもよいし、トレイ２０を収納する凹部を備えなくてもよい。要するに、収納部３０は、収納位置においてトレイ２０が固定される場所であればよい。
【００１４】
収納部３０内には、決済端末１００が配置される。ベースユニット１０は、収納部３０内に決済端末１００を取り付けるための取り付け台座１６を備える。決済端末１００は、取り付け台座１６に取り付けられる。詳細は後述するが、決済端末１００は、円筒部材１１０と本体１２０とを備える。本体１２０は、カードスロット１２３を有するカードリーダ１２５を備える。本実施の形態では、カード５０はカードスロット１２３に挿入可能なサイズであり、ＩＣチップを備えている。カードスロット１２３にカード５０を挿入することにより、決済端末１００のカードリーダ１２５は、ＩＣチップに記憶された情報を読み取り可能である。
【００１５】
トレイ２０は、上面から下面に貫通する貫通穴２２を備える。貫通穴２２は、トレイ２０が開状態であるときに、機内で使用される所定サイズのカップを保持可能な大きさの円形の穴である。すなわち、貫通穴２２はカップホルダとして使用可能である。また、貫通穴２２は、カード５０が通過可能な大きさを有している。
【００１６】
図５は、座席１のトレイ２０の閉状態における拡大図である。図６は、座席１の左右方向が法線方向となり、決済端末１００の中心を通る面における座席１の断面図である。図中のＸ方向とは、座席１の前後方向に沿った方向である。また、座席１の前に向かう方向をＸ正方向とし、後ろに向かう方向をＸ負方向とする。トレイ２０の閉状態とは、トレイ２０が水平に展開された開状態から上方向に回転され、トレイ２０の上面（または下面）と背もたれ５の背面とがほぼ平行になるように向かい合って収納部３０に収納されている状態である。トレイ２０の閉状態、すなわち収納部３０に収納された状態における位置を収納位置とする。
【００１７】
貫通穴２２は、トレイ２０が収納位置に位置するときにおいて、Ｘ方向に沿って見たときに、決済端末１００のカードスロット１２３全体と重なる場所に位置する。すなわち、トレイ２０が収納位置に位置するときにおいて、Ｘ方向に沿って見たときに、決済端末１００のカードスロット１２３は、貫通穴２２を通して全体を視認可能である。このような配置となるように、ベースユニット１０の取り付け台座１６は、トレイ２０が収納位置に位置するときにベースユニット１０のうち貫通穴２２に対応する位置に配置される。この取り付け台座１６に決済端末１００を取り付けることにより、トレイ２０が収納位置にあるとき、決済端末１００のカードスロット１２３に、貫通穴２２を通してカード５０を挿入することが可能となる。
【００１８】
［１−１−３．決済端末１００］
決済端末１００は、ポップアップ機構を備える。ポップアップ機構は、トレイ２０が収納位置に向けて移動するのに伴って、本体１２０に設けられたカードリーダ１２５をトレイ２０の貫通穴２２の内部においてベースユニット１０から突出する方向に移動させる。
【００１９】
図７は、決済端末１００のポップアップ機構の分解斜視図である。決済端末１００は、円筒部材１１０と、本体１２０と、回転部材１３０と、ばね１４０と、ばね１５０とを備える。
【００２０】
円筒部材１１０は、その外形が概ね円筒形状である。円筒部材１１０は、円筒形状の中心線がＸ方向に平行となる向きに配置される。円筒部材１１０は、Ｘ方向において、少なくとも第１位置と、第１位置よりもＸ正方向に位置する第２位置との間を移動可能である。第１位置および第２位置については、動作の説明において後述する。円筒部材１１０は、接触面１１１と、切欠き１１４と、カム面１１２と、貫通穴１１３とを備える。接触面１１１は、円筒形状においてＸ負方向の側の底面である。接触面１１１の外径は、トレイ２０の貫通穴２２の内径よりも大きい。このため、トレイ２０が収納位置およびその近傍に位置するときに、接触面１１１の少なくとも一部が、トレイ２０の上面と接触可能である。円筒部材１１０は、トレイ２０と接触面１１１にて接触し、トレイ２０に押し込まれることによりＸ正方向に移動可能である。切欠き１１４は、円筒形状におけるＸ正方向の側の底面側から、円筒形状の側面の一部がＸ方向（または円筒形状の母線）に対して斜め（らせん状）に切り欠かれた部分である。カム面１１２は、切欠き１１４のうちＸ方向に対して斜めに切り欠かれた面である。カム面１１２は、図のようにＸ正方向側で且つ概ね斜め下方向を向いている。貫通穴１１３は、その内径が、本体１２０の外形よりわずかに大きい。貫通穴１１３の内部には、本体１２０が配置される。
【００２１】
本体１２０は、その外形が概ね円柱形状である。本体１２０は、円柱形状の中心線がＸ方向に平行となる向きに配置される。本体１２０は、Ｘ方向において、少なくとも第５位置と、第５位置よりもＸ負方向に位置する第６位置との間を移動可能である。第５位置および第６位置については、動作の説明において後述する。本体１２０は、面１２１と、カードリーダ１２５と、カム１２８とを備える。面１２１は、円柱形状におけるＸ負方向の側の底面である。面１２１は、その外径がトレイ２０の貫通穴２２の内径よりも小さい。このため、トレイ２０が収納位置およびその近傍に位置するときに、面１２１は、トレイ２０の貫通穴２２の内部に進入可能である。カードリーダ１２５は、面１２１に設けられる。カードリーダ１２５は、カード５０を挿入可能なカードスロット１２３を備える。カードスロット１２３には、Ｘ正方向に沿ってカード５０を挿入可能である。カードリーダ１２５は、カードスロット１２３にカード５０を挿入することにより、カード５０に記憶された情報を接触式で読み取ることが出来る。カム１２８は、円柱形状のＸ正方向に突出して設けられる。カム１２８は、カム面１２６を備える。カム面１２６は、カム１２８のＸ正方向の先端に設けられる。カム面１２６は、Ｘ正方向側で且つＸ方向に対して概ね斜め下方向を向いた面である。
【００２２】
回転部材１３０は、部材１３３と、カム１３４と、カム１３８と、貫通穴１３１とを備える。部材１３３は円盤形状、すなわち偏平な円柱形状であり、その中心線がＸ方向と平行となるように配置される。カム１３４は、部材１３３のＸ負方向の面からＸ負方向に突出するように設けられる。カム１３４は、カム面１３２を備える。カム面１３２は、カム１３４のＸ負方向の先端に設けられる。カム面１３２は、図のようにＸ負方向側で且つ概ね斜め上方向を向いている。カム面１３２は、円筒部材１１０のカム面１１２と接触する。カム１３８は、部材１３３のＸ負方向の面からＸ負方向に突出するように設けられる。カム１３８は、カム面１３６を備える。カム面１３６は、カム１３８のＸ負方向の先端に設けられる。カム面１３６は、図のようにＸ負方向側で且つ概ね斜め上方向を向いている。カム面１３６は、本体１２０のカム面１２６と接触する。カム１３４とカム１３８とは部材１３３を介して接続されている。カム１３４とカム１３８とは、貫通穴１３１に対して互いに反対側に配置される。貫通穴１３１は、部材１３３の中央に設けられた、Ｘ方向に貫通する穴である。貫通穴１３１は、ベースユニット１０の取り付け台座１６に取り付けられた軸部材１１に挿入される。軸部材１１は、ベースユニット１０からＸ負方向に突出した軸であり、回転部材１３０の回転軸となる。回転部材１３０は、軸部材１１を回転中心として回転可能である。回転部材１３０は、その回転方向において、少なくとも第３位置と、回転部材１３０をＸ負方向の側から見たときに第３位置よりも反時計回りに所定角度回転した第４位置との間を回転可能である。第３位置および第４位置については、動作の説明において後述する。なお、以降の説明では、回転部材１３０の回転方向を、上記の通りＸ負方向の側から見たときの方向を用いて説明する。
【００２３】
ばね１４０は、ベースユニット１０と本体１２０とに自然長よりも伸びた状態で接続される。ばね１４０の弾性力により、本体１２０にはＸ正方向へ引っ張る力が働いている。このため、本体１２０のカム面１２６と、回転部材１３０のカム面１３６とは常に接触した状態を保っている。ただし本体１２０は、規制部材（図示せず）により、Ｘ正方向への移動範囲が第５位置までに規制される。
【００２４】
ばね１５０は、ベースユニット１０と円筒部材１１０とに自然長よりも縮んだ状態で接続される。ばね１５０の弾性力により、円筒部材１１０にはＸ負方向へ押し出す力が働いている。ただし円筒部材１１０は、規制部材（図示せず）により、Ｘ負方向への移動範囲が第１位置までに規制される。ばね１５０のばね定数は、ばね１４０のばね定数よりも小さい。
【００２５】
［１−２．動作］
［１−２−１．開状態］
図８Ａは、トレイ２０の開状態における決済端末１００のポップアップ機構の斜視図である。図８Ｂは、トレイ２０の開状態における決済端末１００のポップアップ機構を図８Ａとは別の方向から見たときの斜視図である。ただし図８Ｂにおいて、便宜上、決済端末１００の一部（図における手前側）をカットし、内部の状態が視認できるようにしている。
【００２６】
図８Ａ、図８Ｂにおいて、本体１２０には、ばね１４０によりＸ正方向に力が働く。これにより、本体１２０のカム面１２６は、回転部材１３０のカム面１３６と、位置Ｃにおいて接触する。この状態で本体１２０は、第５位置に保持される。回転部材１３０は、カム面１３６がカム面１２６により押圧されることで時計回りに力が働き、第３位置に保持される。円筒部材１１０のカム面１１２は、第３位置に保持された回転部材１３０のカム面１３２と位置Ａにおいて接触している。これにより円筒部材１１０は、第１位置に保持される。
【００２７】
ここで、円筒部材１１０には、ばね１５０によりＸ負方向に力が働く。このため、ばね１５０の弾性力により、カム面１１２はカム面１３２を押圧し、回転部材１３０には反時計回りに力が働く。しかし、ばね１５０のばね定数は、ばね１４０のばね定数よりも小さい。このため、ばね１５０の作用により回転部材１３０に働く反時計回りの力は、ばね１４０の作用により回転部材１３０に働く時計回りの力よりも小さい。すなわち、ばね１４０とばね１５０の合力は、回転部材を時計回りに、すなわち第４位置から第３位置へ向けて回転させるように働く。したがって回転部材１３０は、カム面１３２がカム面１１２に接触する第３位置にとどまる。
【００２８】
つまり、決済端末１００に外力が働かない状態において、本体１２０、回転部材１３０、及び円筒部材１１０は、それぞれ第５位置、第３位置及び第１位置に静止する。このとき、本体１２０の面１２１は、図４に示すように収納部３０の表面とほぼ同一面内にある。また、円筒部材１１０の接触面１１１は、本体１２０の面１２１よりもＸ負方向に突出している。
【００２９】
以上のように、トレイ２０が開状態、すなわち展開位置に位置するとき、決済端末１００の面１２１に設けられたカードリーダ１２５のカードスロット１２３が、ベースユニット１０の収納部３０の表面とほぼ同一面となる場所に位置している。したがって、トレイ２０が展開位置にあるときに、カードスロット１２３にカード５０を挿入することが容易となる。
【００３０】
［１−２−２．トレイ２０を閉じるときの動作］
次に、トレイ２０を開状態から閉状態へ、すなわち展開位置から収納位置へ移動させるときの、決済端末１００のポップアップ機構の動作について説明する。トレイ２０の開状態から閉状態までの移動に伴い、ポップアップ機構は下記のメカニズムにてカードリーダ１２５を移動させる。トレイ２０を展開位置から収納位置へ向けて移動させていくと、トレイ２０が収納位置の近傍まで移動したある時点で、トレイ２０の上面が、第１位置に位置する円筒部材１１０の接触面１１１と接触する。このときのトレイ２０の位置を接触位置とする。接触位置からさらに、トレイ２０を収納位置に向けて移動させると、トレイ２０の上面が円筒部材１１０をＸ正方向に押して移動させる。トレイ２０が収納位置まで移動し、収納部３０に収納されるのに伴って、円筒部材１１０は、Ｘ正方向に第１位置から第２位置まで押し込まれる。円筒部材１１０がＸ正方向に移動する過程において、円筒部材１１０のカム面１１２が、回転部材１３０のカム面１３２を押す。カム面１１２及びカム面１３２の作用により反時計回りに力を受けた回転部材１３０は、軸部材１１を中心として反時計回りに回転する。このようにして円筒部材１１０が第１位置から第２位置まで移動するのに伴って、回転部材１３０は第３位置から第４位置まで回転移動する。回転部材１３０の回転移動の過程において、回転部材１３０のカム面１３６が本体１２０のカム面１２６を押す。カム面１３６及びカム面１２６の作用によりＸ負方向に力を受けた本体１２０は、Ｘ負方向へ移動する。このようにして回転部材１３０が第３位置から第４位置まで回転移動するのに伴って、本体１２０はＸ負方向に第５位置から第６位置まで移動する。
【００３１】
以上のように、トレイ２０が接触位置から収納位置までＸ正方向に移動するのに伴って、本体１２０は、Ｘ負方向に第５位置から第６位置まで移動する。その際、接触面１１１からＸ負方向に突出した本体１２０のうち、側面のうち面１２１に連続する一部、及び面１２１は、トレイ２０の貫通穴２２の内部に進入する。
【００３２】
［１−２−３．閉状態］
図９Ａは、トレイ２０の閉状態における決済端末１００のポップアップ機構の斜視図である。図９Ｂは、トレイ２０の閉状態における決済端末１００のポップアップ機構を図９Ａとは別の方向から見たときの斜視図である。ただし図９Ｂにおいて、便宜上、決済端末１００の一部（図における手前側）をカットし、内部の状態が視認できるようにしている。
【００３３】
図９Ａ、図９Ｂにおいて、円筒部材１１０の接触面１１１は、収納位置に位置するトレイ２０の上面と接触している。これにより円筒部材１１０は、第２位置に保持される。回転部材１３０のカム面１３２は、第２位置に保持された円筒部材１１０のカム面１１２と、位置Ｂにおいて接触している。これにより回転部材１３０は、ばね１４０及びばね１５０の合力に抗して第４位置に保持される。本体１２０のカム面１２６は、第４位置にある回転部材１３０のカム面１３６と、位置Ｄにおいて接触している。これにより本体１２０は、第６位置に保持される。
【００３４】
つまり、トレイ２０が閉状態にあり、トレイ２０により円筒部材１１０が第２位置に押し込まれているとき、本体１２０及び回転部材１３０は、それぞれ第６位置及び第４位置に位置する。このとき、本体１２０の面１２１は、円筒部材１１０の接触面１１１よりもＸ負方向に突出している。また、本体１２０の面１２１は、図６に示すように、収納位置に位置するトレイ２０の下面とほぼ同一面となる位置までＸ負方向に移動している。
【００３５】
以上のように、トレイ２０が閉状態、すなわち収納位置に位置するとき、決済端末１００のカードスロット１２３及びトレイ２０の貫通穴２２が、Ｘ方向の平面視において同じ位置に配置されるため、貫通穴２２を通してカードスロット１２３にカード５０を挿入することが可能となる。また、ポップアップ機構により、決済端末１００の面１２１に設けられたカードリーダ１２５のカードスロット１２３が、トレイ２０の下面とほぼ同一面となる位置までポップアップしている。したがって、トレイ２０が収納位置にあるときにも、カードスロット１２３にカード５０を挿入することが容易となる。
【００３６】
［１−２−４．トレイ２０を開くときの動作］
トレイ２０を閉状態から開状態へ、すなわち収納位置から展開位置へ移動させるときの、決済端末１００のポップアップ機構の動作について説明する。トレイ２０を収納位置から展開位置へ移動させるとき、ポップアップ機構は、トレイを閉じるときの動作と全く逆の順序で動作し、図９Ａ、図９Ｂに示す状態から図８Ａ、図８Ｂに示す状態へと遷移する。したがって、詳細な説明は省略する。
【００３７】
［１−３．効果等］
以上説明したように、本実施の形態の座席１は、ベースユニット１０と、トレイ２０と、取り付け台座１６とを備える。ベースユニット１０は、背もたれ５の背面側に設けられ、収納部３０を備える。トレイ２０は、所定サイズのカード５０が通過可能な貫通穴２２が設けられ、ベースユニット１０の収納部３０に収納された収納位置と収納位置から開いた展開位置との間を移動可能に設けられる。取り付け台座１６は、トレイ２０が収納位置に位置するときにベースユニット１０のうち貫通穴２２に対応する位置に配置され、カード５０が記憶する情報を読取り可能な決済端末１００を装着可能である。
【００３８】
このように、本実施の形態では、決済端末１００と貫通穴２２のＸ方向の平面視における位置を合わせることで、トレイ２０の収納部３０に決済端末１００を配置しても、トレイ２０の開閉の状態にかかわらず決済端末１００を使用可能となる。したがって、収納部３０のスペースを有効に活用して決済端末１００を配置する事が可能となる。すなわち、本実施の形態の座席１は、背もたれ５の背面側のスペースをより効率よく利用することができる。
【００３９】
また、本実施の形態の座席１は、トレイ２０が収納位置に向けて移動するのに伴って、決済端末１００のカードリーダ１２５をトレイ２０の貫通穴２２内においてベースユニット１０から突出する方向に移動させるポップアップ機構を備える。
【００４０】
ポップアップ機構により、トレイ２０を閉じることで円筒部材１１０が押し込まれ、本体１２０がトレイ２０の下面とほぼ同一面まで押し出される。これにより、トレイ２０が開状態のときには、決済端末１００の面１２１がベースユニット１０の収納部３０の表面と、Ｘ方向においてほぼ同一面に配置される。また、トレイ２０が閉状態のときには、決済端末１００の面１２１がトレイ２０の下面と、Ｘ方向においてほぼ同一面に配置される。このため、トレイ２０が閉状態における、面１２１のカードスロット１２３にカード５０を挿入するときの挿入しやすさが、開状態における挿入しやすさと同等となる。すなわち、トレイ２０の位置によらず、利便性を損なうことなくカード５０のカードスロット１２３への挿入を可能とする。
【００４１】
（他の実施形態）
以上のように、本出願において開示する技術の例示として、実施の形態１を説明した。しかしながら、本開示における技術は、これに限定されず、変更、置き換え、付加、省略などを行った実施の形態にも適用できる。また、上記実施の形態１で説明した各構成要素を組み合わせて、新たな実施の形態とすることも可能である。
【００４２】
そこで、以下、他の実施の形態を例示する。
【００４３】
実施の形態１では、ポップアップ機構を備える決済端末１００の構成について説明した。ポップアップ機能については、備えていなくてもよい。すなわち、決済端末１００のカードスロット１２３の位置と貫通穴２２の位置とを合わせることで、背もたれ５のスペースをより効率よく利用することが可能である。しかしながら、ポップアップ機構を備える構成は、上述のように、トレイ２０の状態によらずカード５０をカードスロット１２３へ挿入することをより容易とするため、より望ましい。
【００４４】
実施の形態１では、取り付け台座１６が、トレイ２０が収納位置に位置するときにベースユニット１０のうち貫通穴２２に対応する位置に配置される構成について説明した。しかしながら、トレイ２０が収納位置に位置するときにおいてＸ方向に沿って見たときに、貫通穴２２が、決済端末１００のカードスロット１２３全体と重なる位置（またはカードスロット全体を視認可能な位置）に決済端末１００が取り付けられるように、取り付け台座１６が設けられていればよい。
【００４５】
実施の形態１では、軸部材１１が取り付け台座１６に設けられる構成について説明した。決済端末１００がベース部材を備え、ベース部材に軸部材１１が設けられる構成としてもよい。すなわち決済端末１００の各構成要素がベース部材に対して組みつけられ、ベース部材が取り付け台座１６に組みつけられることにより決済端末がベースユニット１０に取り付けられるようにしてもよい。
【００４６】
実施の形態１では、トレイ２０が貫通穴２２を備える構成について説明した。トレイ２０は、貫通穴２２の代わりに、Ｘ方向において決済端末１００のカードスロット１２３全体と重なる位置（またはカードスロット全体を視認可能な位置）に切り欠きを備える構成であってもよい。切り欠きを備える構成であっても、実施の形態１と同じ効果が得られる。
【００４７】
実施の形態１では、カード５０をカードスロット１２３に挿入し、カード５０に記憶された情報を接触式で読み取る方式のカードリーダ１２５を備える構成について説明した。カードリーダとしては、非接触式のカードリーダであってもよい。すなわち、カードリーダは、非接触式ＩＣカードと無線通信が可能なカードリーダであってもよい。非接触式のカードリーダは通信機の一例である。非接触式ＩＣカードは、無線通信機器の一例である。カードリーダが非接触式である場合は、トレイ２０は貫通穴や切り欠きを備えていなくてもよい。その場合、トレイ２０において、少なくともカードリーダに対応する位置は、非接触式ＩＣカードに記憶された情報を非接触で読み取るために、電波が通過可能な樹脂などの素材で構成されていればよい。また、トレイ２０の下面の、カードリーダに対応する位置に、非接触カードリーダを示すマークが書かれていても良い。また、トレイ２０のカードリーダに対応する位置が薄肉部になっていてもよい。すなわち、ベースユニット１０の取り付け台座１６が、トレイ２０が収納位置に位置するときにベースユニット１０のうち薄肉部に対応する位置に配置され、取り付け台座１６に非接触式のカードリーダを備える決済端末を取り付けるようにしてもよい。薄肉にすることにより電波が通過しやすくなり、非接触式のカードリーダがカードに記憶された情報を読み取りやすくなる。特に、トレイ２０の上面側に凹部を設けることにより薄肉部を形成する場合、この薄肉部はトレイ２０を開状態としたときにカップ等を安定して置くための場所としても活用できる。
【００４８】
実施の形態１では、決済端末１００の本体１２０は円柱形状であり、円筒部材１１０は円筒形状である構成について説明した。これらの形状は、実施の形態１で説明した動作が可能である限り、他の形状であってもよい。
【００４９】
実施の形態１では、円筒部材１１０がトレイ２０に押されてＸ正方向に移動するのに伴って、カードリーダ１２５を備える本体１２０をＸ負方向に移動させる、すなわち円筒部材１１０と本体１２０とを連動させるための部材として、回転部材１３０を備える構成について説明した。円筒部材１１０と本体１２０とを連動させるための部材は、回転移動ではなく平行移動するような部材であってもよい。ただし実施の形態１のように回転部材１３０を用いる構成のほうが、より機構を小型化しやすくなる。
【００５０】
実施の形態１では、トレイ２０を収納位置に移動させたときに、本体１２０の面１２１がトレイ２０の下面とほぼ同一面となる第６位置まで移動する構成について説明した。第６位置は、トレイ２０を収納位置に移動させたときに、トレイ２０の下面よりもＸ正方向の位置であってもよい。この場合、トレイ２０を収納位置に移動させても、カードリーダ１２５を備える本体１２０が貫通穴２２のやや奥まったところまでしか出てこないことになるが、カードリーダ１２５が収納部３０の表面と同一面である位置に固定されている場合と比較すれば、よりカード５０を挿入しやすくなる。
【産業上の利用可能性】
【００５１】
本開示は、背もたれの背面側のスペースをより効率よく利用可能な乗物用座席に適用可能である。具体的には、航空機、列車、バス等の移動体内に設置される乗物用座席等に、本開示は適用可能である。
【符号の説明】
【００５２】
１  座席
１０  ベースユニット
１１  軸部材
１６  取り付け台座
２０  トレイ
２２  貫通穴
２４  トレイ支持部材
３０  収納部
４０  モニタ
５０  カード
１００  決済端末
１１０  円筒部材
１１１  接触面
１１２  カム面
１１３  貫通穴
１２０  本体
１２１  面
１２３  カードスロット
１２５  カードリーダ
１２６  カム面
１２８  カム
１３０  回転部材
１３１  貫通穴
１３２  カム面
１３３  部材
１３４  カム
１３６  カム面
１３８  カム
【図１】
2017065476.tif 000003
【図２】
2017065476.tif 000004
【図３】
2017065476.tif 000005
【図４】
2017065476.tif 000006
【図５】
2017065476.tif 000007
【図６】
2017065476.tif 000008
【図７】
2017065476.tif 000009
【図８Ａ】
2017065476.tif 000010
【図８Ｂ】
2017065476.tif 000011
【図９Ａ】
2017065476.tif 000012
【図９Ｂ】
2017065476.tif 000013